(57)【要約】【課題】  部品点数を増やさずに簡易な構成で、レンズ鏡筒に取り付け指標を設けること、また、レンズ鏡筒のマウント部材と外装環を覆う金属カバー部材との導通取りを行うことを可能にしたレンズ鏡筒およびそれを用いた光学機器を提供すること。【解決手段】レンズ取り付け指標は、レンズ鏡筒のマウント部を固定する外装環を覆うカバー部材に設けた凹部からなり、外装環に設けた凹部とカバー部材の内周に出来た指標部の凸部の位相を合わせて組み立てることにより取り付け指標の位置決めを行う。また、外装環に設けた凹部に導通部材を組み込み、導通部材をマウント部とカバー部材に付勢させることでカバー部材とマウント部との間の導通を取る。【選択図】  図２
2014021407.tif 000002
【特許請求の範囲】
【請求項１】
撮像装置に対して着脱可能なマウント部を有するレンズ鏡筒であって、
前記マウント部を固定する外装環と外装環を覆うカバー部材とを有し、
前記撮像装置に装着する際に前記撮像装置との間の位相関係を決定する目印となる指標を有するレンズ鏡筒において、
前記指標は前記カバー部材に設けた凹部からなり、
前記外装環に設けた凹部と前記カバー部材の内周に出来た前記指標部の凸部の位相を合わせて組み立てることにより
前記外装環と前記カバー部材の位置決めを行うことを特徴とするレンズ鏡筒およびそれを用いた光学機器。
【請求項２】
前記マウント部と前記外装環を覆う前記カバー部材との間に導通部材を有し、前記導通部材は前記外装環に設けた前記凹部に組み込まれ、前カバー部材と前記マウント部との間の導通を取ることを特徴とする請求項１に記載のレンズ鏡筒およびそれを用いた光学機器。
【発明の詳細な説明】
【技術分野】
【０００１】
本発明は、レンズ鏡筒およびそれを用いた光学機器に関し、特に交換レンズをカメラボディに装着する際に両者の位相関係を決定する目印となる取り付け指標を有するレンズ鏡筒およびそれを用いた光学機器に関するものである。
【背景技術】
【０００２】
従来、撮像装置に対して着脱可能なマウント部を有しカメラボディに対してバヨネット結合により装着されるレンズ鏡筒は、カメラボディにレンズ鏡筒を装着する際に両者の位相関係を決定する目印となる取り付け指標を有しており、レンズ鏡筒とは別体の取り付け指標をレンズ鏡筒に取り付ける構造になっていた。また、レンズ鏡筒外観の品位を向上する為にレンズの外装部品に金属のカバー部品を被せる構造の場合、静電気によるレンズ鏡筒の内部部品の損傷を避けるために、レンズ鏡筒のマウント部品と金属カバーとの間に導通を取る必要があった。
【０００３】
例えば、特許文献１では、中間アダプタの外観部品に複数の取り付け指標が取り付けられた構造となっている。
【先行技術文献】
【特許文献】
【０００４】
【特許文献１】特開平２００５−７０７１１号公報
【発明の概要】
【発明が解決しようとする課題】
【０００５】
しかしながら、上述の特許文献に開示された従来技術では、取り付け指標が別体の為、部品点数が増加してしまう。
【０００６】
そこで、本発明の目的は、部品点数を増やさずにより簡易な構成で、レンズ鏡筒に取り付け指標を設けること、また、レンズ鏡筒のマウント部材と外装環を覆う金属カバー部材との導通取りを行うことを可能にしたレンズ鏡筒およびそれを用いた光学機器を提供することである。
【課題を解決するための手段】
【０００７】
上記目的を達成するために、本発明は、撮像装置に対して着脱可能なマウント部を有するレンズ鏡筒であって、前記マウント部を固定する外装環と外装環を覆うカバー部材とを有し、前記撮像装置に装着する際に前記撮像装置との間の位相関係を決定する目印となる指標を有するレンズ鏡筒において、前記指標は前記カバー部材に設けた凹部からなり、前記外装環に設けた凹部と前記カバー部材の内周に出来た前記指標部の凸部の位相を合わせて組み立てることにより前記外装環と前記カバー部材の位置決めを行うことを特徴とする。
【０００８】
また、上記レンズ鏡筒は、前記マウント部と前記外装環を覆う前記カバー部材との間に導通部材を有し、前記導通部材は前記外装環に設けた前記凹部に組み込まれ、前記カバー部材と前記マウント部との間の導通を取ることを特徴とする。
【発明の効果】
【０００９】
本発明によれば、部品点数を増やさずにより簡易な構成で、レンズ鏡筒に取り付け指標を設けること、また、レンズ鏡筒のマウント部材と外装環を覆う金属カバー部材との導通取りを行うことを可能にしたレンズ鏡筒およびそれを用いた光学機器を提供することができる。
【図面の簡単な説明】
【００１０】
【図１】本発明の実施例１によるレンズ鏡筒の斜視図である。
【図２】本発明の実施例１による外装環およびマウント近傍の分解斜視図である。
【図３】本発明の実施例１による外装環およびマウント近傍の断面図である。
【発明を実施するための形態】
【００１１】
以下に、本発明の好ましい実施の形態を、添付の図面に基づいて詳細に説明する。図１は、本発明の実施形態にかかわるレンズ鏡筒の斜視図である。
【実施例１】
【００１２】
以下、図１〜３を参照して、本発明の第１の実施例によるレンズ鏡筒について説明する。
【００１３】
図１において、１は回転させることによりフォーカシングを行うマニュアルフォーカスリングを示し、２は回転させることによりズーミングを行うマニュアルズームリングを示す。３は外装環を示し、３ａはレンズ鏡筒をカメラボディに装着する際にカメラボディとの間の位相関係を決定する目印となる取り付け指標部であり、外装環３の外周面より凹んだ形状をしている。外装環３には、レンズ名称３ｂやズーム位置を示すズーム指標３ｃ等が表示されている。４はレンズマウントを示し、カメラボディに対してバヨネット結合により装着される。
【００１４】
図２は、外装環３およびレンズマウント４近傍の分解斜視図である。図３は、外装環３およびレンズマウント４近傍の断面図である。３１は外装環ベースを示し、例えばポリカーボネート等の樹脂材料で出来ている。３２は外装環カバーを示し、例えばアルミ等の金属材料で出来ており、外装環ベース３１に接着剤等で固定されている。外装環カバー３２は０．３ｍｍ程度の薄板であり、取り付け指標部３ａの内周側３２ａは凸形状となっている。外装環ベース３１には外周面に凹部３１ａが設けてある。外装環３を組み立てる際には、外装環ベースの凹部３１ａと外装環カバー３２の内周側凸部３２ａとの位相を合わせて組み込むことにより、ズーム指標３ｃ等の表示と、外装環ベース３１との位相関係を精度良く出すことが可能となっている。
【００１５】
５は導通部材であり、導電性の高い金属等の材料で出来ており、外装環カバー３２とマウント４との間の導通取りを行う。導通部材５は外装環ベース３１の凹部３１ａに嵌め込まれ、マウント４を取り付けた際に、くの字に撓み、外装環カバー３２およびマウント４の双方に付勢されて固定される。外装環カバー３２がアルミ材料の場合、通常、表面は耐食性や耐摩耗性の向上等の目的でアルマイト処理が施されるが、導通を取る箇所のみアルマイトの剥離処理が必要となる。本実施例では外装環カバー３２の内周側凸部３２ａの先端面のみをアルマイト剥離処理が必要となるが、内周面上の凸部である為に容易に剥離作業を行うことが可能となっている。
【００１６】
以上により、部品点数を増やさずにより簡易な構成で、レンズ鏡筒に取り付け指標を設けること、また、レンズ鏡筒と金属カバー部品との位置決めおよび導通取りを行うことを可能にしたレンズ鏡筒およびそれを用いた光学機器を提供することができる。
【００１７】
以上、本発明の好ましい実施形態について説明したが、本発明はこれらの実施形態に限定されず、その要旨の範囲内で種々の変形及び変更が可能である。
【符号の説明】
【００１８】
１：マニュアルフォーカスリング
２：マニュアルズームリング
３：外装環
３ａ：取り付け指標部
３ｂ：レンズ名称
３ｃ：ズーム指標
３１：外装環ベース
３１ａ：凹部
３２：外装環カバー
３２ａ：凸部
４：レンズマウント
５：導通部材
【図１】
2014021407.tif 000003
【図２】
2014021407.tif 000004
【図３】
2014021407.tif 000005